(57)【要約】【課題】  接続装置に対してケーブル支持部材が少なくとも２つの位置を取ることができるケーブル支持アセンブリ及びそれを含むラックシステムを提供すること。【解決手段】  ラックシステムにおいて用いるためのケーブル支持アセンブリは接続装置と、ケーブル支持部材と、第１の機構と、第２の機構とを含む。ケーブル支持部材は接続装置に可動に取り付けられる。第１の機構は接続装置及びケーブル支持部材のうちの一方に配置され、第２の機構は他方に配置される。第１の機構及び第２の機構はケーブル支持部材を接続装置に対して所定の位置で維持するために互いに接続可能である。第１の機構及び第２の機構が互いに接続されていない場合、ケーブル支持部材は接続装置に対して第１の位置又は第２の位置に移動できる。【選択図】  図１
2019192894.tif 000002
【特許請求の範囲】
【請求項１】
接続装置と、
前記接続装置に可動に取り付けられるケーブル支持部材と、
前記接続装置及び前記ケーブル支持部材のうちの一方に配置される第１の機構と、
前記接続装置及び前記ケーブル支持部材のうちの他方に配置される第２の機構と、
を含むケーブル支持アセンブルであって、
前記第１の機構及び前記第２の機構は、前記ケーブル支持部材を前記接続装置に対して所定の位置で維持するために互いに接続可能であり、
前記第１の機構及び前記第２の機構が互いに接続されていない場合、前記ケーブル支持部材は前記所定の位置から離れて前記接続装置に対して第１の位置又は第２の位置に移動できる、ケーブル支持アセンブリ。
【請求項２】
前記接続装置は一対の接続部材を含み、前記ケーブル支持部材は該一対の接続部材の間に可動に取り付けられる、請求項１に記載のケーブル支持アセンブリ。
【請求項３】
前記ケーブル支持部材は２つの端部を有し、該２つの端部はそれぞれ前記一対の接続部材のうちの対応する１つにシャフトを通じて回転可能に接続される、請求項２に記載のケーブル支持アセンブリ。
【請求項４】
前記第１の機構及び前記第２の機構のうちの一方は複数の接続部位を含み、該接続部位は前記シャフトのうちの対応する１つの周りの且つ隣接する位置に前記接続部材のうちの１つに配置され、前記第１の機構及び前記第２の機構のうちの他方は、前記ケーブル支持部材を前記接続装置に対して前記所定の位置、前記第１の位置及び前記第２の位置のうちの対応する１つで維持するために前記接続部位のいずれか１つと接続するための接続部を含む、請求項３に記載のケーブル支持アセンブリ。
【請求項５】
前記第１の位置及び前記第２の位置は反対の位置であり、前記接続装置は、前記ケーブル支持部材が前記接続装置に対して前記第１の位置から前記第２の位置に第１の方向に回転するのを又は前記接続装置に対して前記第２の位置から前記第１の位置に第２の方向に回転するのを防止するために位置制限部を備える、請求項４に記載のケーブル支持アセンブリ。
【請求項６】
前記第１の機構及び前記第２の機構のうちの他方はさらにベースを含み、該接続部は該ベースに可動に取り付けられ、該接続部は取り付け位置にある場合に前記接続部位のいずれかに接続可能である、請求項４に記載のケーブル支持アセンブリ。
【請求項７】
前記ケーブル支持部材は前記２つの端部の間に第１の壁と、第２の壁と、該第１の壁及び該第２の壁の間に接続される第３の壁とを有し、該第１の壁、該第２の壁及び該第３の壁は共に通路を定義する、請求項３に記載のケーブル支持アセンブリ。
【請求項８】
ラックと、
前記ラックの第１の側及び第２の側にそれぞれ取り付けられるとともにオブジェクトを保持するように構成された第１のスライドレールアセンブリ及び第２のスライドレールアセンブリと、
ケーブル支持アセンブリと、
を含むラックシステムであって、
前記ケーブル支持アセンブリは、
前記オブジェクトに取り付けられる接続装置と、
前記接続装置に可動に取り付けられるケーブル支持部材と、
前記接続装置及び前記ケーブル支持部材のうちの一方に配置される第１の機構と、
前記接続装置及び前記ケーブル支持部材のうちの他方に配置される第２の機構と、
を含み、
前記第１の機構及び前記第２の機構は、前記ケーブル支持部材を前記接続装置に対して所定の位置で維持するために互いに接続可能であり、
前記第１の機構及び第２の機構が互いに接続されていない場合、前記ケーブル支持部材は前記所定の位置から離れて前記接続装置に対して第１の位置又は第２の位置に移動できる、ラックシステム。
【請求項９】
前記接続装置は、前記オブジェクトの一対の取り付け部材にそれぞれ取り付けられる一対の接続部材を含み、該一対の接続部材は前記オブジェクトの一対の取り付け部材に取り外し可能にそれぞれ取り付けられるように構成され、前記ケーブル支持部材は前記一対の接続部材の間に可動に取り付けられる、請求項８に記載のラックシステム。
【請求項１０】
前記オブジェクトは上側空間及び下側空間を含み、該上側空間及び該下側空間は上段物体及び下段物体をそれぞれ収容するとともに前記ケーブル支持部材が前記第１の位置にある場合に該下側空間から該下段物体を引き出すことができ、前記ケーブル支持部材が前記第２の位置にある場合に該上側空間から該上段物体を引き出すことができるように構成されている、請求項８に記載のラックシステム。
【請求項１１】
前記ラックのポストに取り外し可能に取り付けられるフィッティングをさらに含み、該フィッティングは前記オブジェクトの上部に対応する位置に延びる延在部を有する、請求項８に記載のラックシステム。
【発明の詳細な説明】
【技術分野】
【０００１】
本発明はラックシステムに関し、より具体的には電子機器のシャーシから延びるケーブルを収納するためのケーブル支持アセンブリに関する。
【背景技術】
【０００２】
特許文献１にはケーブル管理フリップトレイアセンブリが開示されている。特許文献１の明細書並びにその図１及び図２によれば、ラック（１０）は複数のポスト（１１）を含み、情報処理システム（１４）がラック（１０）に取り付けられる。ケーブル管理フリップトレイアセンブリ（１００）は取り付けブラケット（１１０）及びフリップトレイ（１６０）を含む。取り付けブラケット（１１０）はポスト（１１）に取り付けられる。フリップトレイ（１６０）は取り付けブラケット（１１０）に可動に取り付けられ、特許文献１の図１に示すように取り付けブラケット（１１０）に対して第１の（又は垂直の）位置を取ることができるか又は特許文献１の図２に示すように取り付けブラケット（１１０）に対して第２の位置を取ることができる。より具体的には、取り付けブラケット（１１０）の２つの側面にあるＬ字状スロット（１３８、１４０）、フリップトレイ（１６０）の２つの側面にあるＬ字状スロット（１６６、１６７）及び２つの対応するピン（１９２）によってフリップトレイ（１６０）が取り付けブラケット（１１０）に対して第１又は第２の位置のいずれかに移動させることができる。
【先行技術文献】
【特許文献】
【０００３】
【特許文献１】米国特許第７０９７０４７号明細書
【特許文献２】米国特許第９２８１６７６号明細書
【特許文献３】米国特許第９１６１６２５号明細書
【発明の概要】
【発明が解決しようとする課題】
【０００４】
しかしながら、ケーブル支持部材をＬ字状スロットに沿って動かすことが常に望ましいわけではない。様々な市場の要求を満たすためには様々な種類の製品を開発する必要がある。
【０００５】
本発明は、接続装置に対してケーブル支持部材が少なくとも２つの位置を取ることができるケーブル支持アセンブリに関する。
【課題を解決するための手段】
【０００６】
本発明の一態様によれば、ケーブル支持アセンブリは接続装置と、ケーブル支持部材と、第１の機構と、第２の機構とを含む。ケーブル支持部材は接続装置に可動に取り付けられる。第１の機構は接続装置及びケーブル支持部材のうちの一方に配置され、第２の機構は接続装置及びケーブル支持部材のうちの他方に配置される。第１の機構及び第２の機構は、ケーブル支持部材を接続装置に対して所定の位置で維持するために互いに接続可能である。第１の機構及び第２の機構が互いに接続されていない限り、ケーブル支持部材は所定の位置から離れて接続装置に対して第１の位置又は第２の位置に移動できる。
【０００７】
接続装置は一対の接続部材を含み、ケーブル支持部材は該一対の接続部材の間に可動に取り付けられることが好ましい。
【０００８】
ケーブル支持部材は２つの端部を有し、該２つの端部を一対の接続部材のそれぞれに回転可能に接続するのに２つのシャフトが用いられることが好ましい。
【０００９】
棒状体がケーブル支持部材の２つの端部の間に配置されるともに２つの端部に実質的に垂直であることが好ましい。
【００１０】
第１の機構及び第２の機構のうちの一方は複数の接続部位を含み、該接続部位はシャフトのうちの対応する１つの周りの且つ隣接する位置に接続部材のうちの１つに配置され、第１の機構及び第２の機構のうちの他方は、ケーブル支持部材を接続装置に対して所定の位置、第１の位置及び第２の位置のうちの対応する１つで維持するために接続部位のいずれか１つと接続するための接続部を含むことが好ましい。
【００１１】
第１の位置及び第２の位置は反対の位置であり、接続装置は、ケーブル支持部材が接続装置に対して第１の位置から第２の位置に第１の方向に回転するのを又は接続装置に対して第２の位置から第１の位置に第２の方向に回転するのを防止するために位置制限部を備えることが好ましい。
【００１２】
第１の機構及び第２の機構のうちの他方はベースを含み、該接続部は該ベースに可動に取り付けられ、取り付け位置にある場合に接続部位のいずれか１つに接続可能であることが好ましい。
【００１３】
ケーブル支持部材はその２つの端部の間に第１の壁と、第２の壁と、該第１の壁及び該第２の壁の間に接続される第３の壁とを有することが好ましい。第１の壁、第２の壁及び第３の壁は共に通路を定義する。
【００１４】
本発明の別の態様によれば、ラックシステムはラックと、第１のスライドレールアセンブリと、第２のスライドレールアセンブリと、前述の実施形態のいずれかに係るケーブル支持アセンブリとを含む。第１のスライドレールアセンブリ及び第２のスライドレールアセンブリはラックの第１の側及び第２の側にそれぞれ取り付けられるとともにオブジェクトを保持するように構成される。ケーブル支持アセンブリの接続装置はオブジェクトに取り付け可能であり、ケーブル支持アセンブリのケーブル支持部材は、所定の位置から離れて接続装置に対して第１の位置又は第２の位置に移動するよう操作可能である。
【００１５】
接続装置の一対の接続部材はオブジェクトの一対の取り付け部材にそれぞれ取り付け可能であることが好ましい。
【００１６】
接続装置の一対の接続部材はオブジェクトの一対の取り付け部材に取り外し可能にそれぞれ取り付け可能であることが好ましい。
【００１７】
オブジェクトは上側空間及び下側空間を含むことが好ましい。上側空間及び下側空間は上段物体及び下段物体をそれぞれ収容するとともにケーブル支持部材が第１の位置にある場合に該下側空間から該下段物体を引き出すことができ、ケーブル支持部材が第２の位置にある場合に該上側空間から該上段物体を引き出すことができるように構成される。
【図面の簡単な説明】
【００１８】
【図１】図１は、本発明の一実施形態に係るラックシステムの斜視図である。
【図２】図２は、本発明の一実施形態に係るラックシステムの部分分解斜視図である。
【図３】図３は、接続装置に対して所定の位置にある本発明の一実施形態に係るケーブル支持アセンブリのケーブル支持部材を示す概略図である。
【図４】図４は、接続装置に対して特定の方向に回転された本発明の一実施形態に係るケーブル支持アセンブリのケーブル支持部材を示す概略図である。
【図５】図５は、接続装置に対して第１の位置に到達した本発明の一実施形態に係るケーブル支持アセンブリのケーブル支持部材を示す概略図である。
【図６】図６は、接続装置に対して別の方向に回転された本発明の一実施形態に係るケーブル支持アセンブリのケーブル支持部材を示す概略図である。
【図７】図７は、接続装置に対して第２の位置に到達した本発明の一実施形態に係るケーブル支持アセンブリのケーブル支持部材を示す概略図である。
【図８】図８は、ラックシステムにより保持されているオブジェクトにおける下段物体を引き出すことができるように第１の位置にある本発明の一実施形態に係るラックシステムのケーブル支持部材を示す概略図である。
【図９】図９は、オブジェクトにおける上段物体を引き出すことができるように替わって第２の位置にある本発明の一実施形態に係るラックシステムのケーブル支持部材を示す概略図である。
【発明を実施するための形態】
【００１９】
図１及び図２に示すように、本発明の一実施形態に係るラックシステム２０はラック２２、第１のスライドレールアセンブリ２４、第２のスライドレールアセンブリ２６及びケーブル支持アセンブリえ０−を含む。図１における第１のスライドレールアセンブリ２４は図面の視角により隠れて見えていない。
【００２０】
ラック２２は一対の第１のポスト２２ａ（例えば前方ポスト）及び一対の第２のポスト２２ｂ（例えば後方ポスト）を含む。第１のスライドレールアセンブリ２４及び第２のスライドレールアセンブリ２６はラック２２の第１の側Ｓ１及び第２の側Ｓ２にそれぞれ取り付けられる。より具体的には、第１のスライドレールアセンブリ２４及び第２のスライドレールアセンブリ２６のぞれぞれは、対応する第１のポスト２２ａに取り付けられる第１のブラケット３０と、対応する第２のポスト２２ｂに取り付けられる第２のブラケット３２とを含む。ブラケットをポストにそれぞれ取り付ける方法は当業者に良く知られているため、それについてのさらなる詳細な説明は簡潔性のために省略する。
【００２１】
第１のスライドレールアセンブリ２４及び第２のスライドレールアセンブリ２６はオブジェクト３４を保持するように構成されている。ここでは、一例として、オブジェクト３４は電子機器であり、上側空間３４ａ及び下側空間３４ｂを含む。上側空間３４ａ及び下側空間３４ｂは上段物体３６及び下段物体３８をそれぞれ収容するように構成されている。第１のスライドレールアセンブリ２４及び第２のスライドレールアセンブリ２６のそれぞれは、オブジェクト３４の底部Ｂを支持するための支持部４２を含むスライドレール４０を含むことが好ましい。ラックシステム２０は、ラック２２の第２のポスト２２ｂのうちの一方に取り外し可能に取り付けられるフィッティング４４をさらに含むことが好ましい。ここでは、一例として、２つのフィッティング４４がネジ接続により第２のポスト２２ｂにそれぞれ取り付けられ、各フィッティング４４は、オブジェクト３４の上部Ｕに対応する位置に延びる延在部４６を有することにより、オブジェクト３４が第１のスライドレールアセンブリ２４及び第２のスライドレールアセンブリ２６の支持部４２に対して上方に傾斜するのが防止される。
【００２２】
ケーブル支持アセンブリ２８は接続装置４８、ケーブル支持部材５０、第１の機構５２及び第２の機構５４を含む。接続装置４８はオブジェクト３４に取り付けられるように構成されている。接続装置４８は一対の接続部材、例えば第１の接続部材４８ａ及び第２の接続部材４８ｂを含むことが好ましい。第１の接続部材４８ａ及び第２の接続部材４８ｂはオブジェクト３４の後部で第１の取り付け部材５６ａ及び第２の取り付け部材５６ｂにそれぞれ取り外し可能に取り付けられるように構成されていることが好ましい。ケーブル支持部材５０は接続装置４８の第１の接続部材４８ａ及び第２の接続部材４８ｂの間に可動に取り付けられることが好ましい。
【００２３】
図２に示すように、ケーブル支持部材５０は２つの端部、例えば第１の端部５８及び第２の端部６０を有する。第１の端部５８は第１のシャフト５７ａを通じて第１の接続部材４８ａに回転可能に接続され、第２の端部６０は第２のシャフト５７ｂを通じて第２の接続部材４８ｂに回転可能に接続される。
【００２４】
図２及び図３に示すように、ケーブル支持部材５０は第１の端部５８と第２の端部６０との間に配置される棒状体６１を含む。棒状体６１は実質的に垂直に第１の端部５８及び第２の端部６０に接続される。ケーブル支持部材５０の棒状体６１は第１の壁６１ａと、第２の壁６１ｂと、第１の壁６１ａ及び第２の壁６１ｂの間に接続される第３の壁６１ｃとを有し、第１の壁６１ａ及び第２の壁６１ｂは第３の壁６１ｃに対して屈曲している。第１の壁６１ａ、第２の壁６１ｂ及び第３の壁６１ｃは例えばケーブルを収容するための通路を共に定義する。
【００２５】
第１の機構５２は接続装置４８及びケーブル支持部材５０のうちの一方に配置され、第２の機構５４は接続装置４８及びケーブル支持部材５０のうちの他方に配置される。ここでは、一例として、第１の機構５２は接続装置４８の第２の接続部材４８ｂに加えて第１の接続部材４８ａに配置され、第２の機構５４はケーブル支持部材５０の第２の端部６０に加えて第１の端部５８に配置されるが、実際には第１及び第２の機構はこのように配置する必要はない。接続装置４８の第１の接続部材４８ａ及び第２の接続部材４８ｂは実質的に同じ構造構成を有するともに、ケーブル支持部材５０の第１の端部５８及び第２の端部６０も実質的に同じ構造構成を有するため、簡潔性のために、図３では接続装置４８の第１の接続部材４８ａにある第１の機構５２及びケーブル支持部材５０の第１の端部５８にある第２の機構５４だけを示す。
【００２６】
図３及び図４を参照して、第１の機構５２は複数の接続部位、例えば第１の接続部位５２ａ、第２の接続部位５２ｂ及び第３の接続部位５２ｃを含む。接続部位５２ａ、５２ｂ及び５２ｃは第１の接続部材４８ａに配置され、対応するシャフト（例えば第１のシャフト５７ａ）に隣接するとともにその周りに分布する。ここでは、接続部位５２ａ、５２ｂ及び５２ｃは孔又は溝であるが、実際にはそのような構成を有する必要はない。第２の機構５４は接続部位のうちのいずれか１つと接続するために接続部６２を含む。第２の機構５４はベース６４をさらに含み、接続部６２がベース６４に可動に取り付けられることが好ましい。第２の機構５４の接続部６２は挿入、係合又はネジ留めにより接続部位５２ａ、５２ｂ及び５２ｃに接続され得るが、この点について本発明では何ら限定されない。接続部６２はベース６４に対して取り付け位置Ｘ１にある場合に接続部位５２ａ、５２ｂ及び５２ｃのうちのいずれか１つに接続することができ、ベース６４に対して非取り付け位置Ｘ２にある場合（即ち、取り付け位置Ｘ１から離れている場合）は接続部位５２ａ、５２ｂ及び５２ｃのいずれにも接続することができない。
【００２７】
第１の機構５２及び第２の機構５４は互いに接続されることによりケーブル支持部材５０を接続装置４８に対して所定の位置で維持するように設計されている。より具体的には、第２の機構５４の接続部６２が取り付け位置Ｘ１にあり、第１の機構５２の第３の接続部位５２ｃに接続される場合、ケーブル支持部材５０は（図３に示すように）接続装置４８に対して所定の位置Ｐ０で保たれる。接続部６２は後で非取り付け位置Ｘ２に動かされると、（図４に示すように）第３の接続部位５２ｃから外れるため、ケーブル支持部材５０は（図５に示すように）第１の位置Ｐ１に到達するまで厳密に接続装置４８に対して第１の方向Ｒ１に操作するか又は回転させることができる。
【００２８】
図５に示すように、ケーブル支持部材５０が第１の位置Ｐ１にある場合、第１の機構５２及び第２の機構５４は、ケーブル支持部材５０を支持装置４８に対して第１の位置Ｐ１で維持するためにもう一度接続可能である。より具体的には、第２の機構５４の接続部６２が取り付け位置Ｘ１にあるとともに第１の機構５２の第１の接続部位５２ａに接続されている場合、ケーブル支持部材５０は接続装置４８に対して第１の位置Ｐ１で保たれる。
【００２９】
図６及び図７を参照して、第２の機構５４の接続部６２を非取り付け位置Ｘ２に再び動かすことにより、第２の機構５４の接続部６２が第１の機構５２の第１の接続部位５２ａから外れるため、ケーブル支持部材５０は第２の位置Ｐ２に到達するまで厳密に接続装置４８に対して第２の方向Ｒ２に操作するか又は回転させることができる。ケーブル支持部材５０が第２の位置Ｐ２にある場合、第１の機構５２及び第２の機構５４はケーブル支持部材５０を接続装置４８に対して第２の位置Ｐ２で維持するために接続可能である。より具体的には、第２の機構５４の接続部６２が取り付け部Ｘ１にあり、第１の機構５２の第２の接続部位５２ｂに接続されている場合、ケーブル支持部材５０は接続装置４８に対して第２の位置Ｐ２で保たれる。
【００３０】
第２の位置Ｐ２及び第１の位置Ｐ１は反対の位置、即ち互いに１８０°離れていることが好ましい。例えば、ケーブル支持部材５０が第２の位置Ｐ２にある場合、ケーブル支持部材５０の棒状体６１は（図７に示すように）接続装置４８の下に横たわり、ケーブル支持部材５０が第１の位置Ｐ１にある場合、ケーブル支持部材５０の棒状体６１は（図５に示すように）接続装置４８の上に横たわる。所定の位置Ｐ０は第１の位置Ｐ１と第２の位置Ｐ２との間に位置することが好ましい。例えば、所定の位置Ｐ０は第１の位置Ｐ１及び第２の位置Ｐ２のそれぞれから９０°離れている（図３、図５及び図７参照）。
【００３１】
接続装置４８は少なくとも１つの位置制限部６６、例えば突起を備えることが好ましい。第２の機構５４は第１の機構５２に接続されていないが、位置制限部６６はケーブル支持部材５０が接続装置４８に対して第１の位置Ｐ１から第２の位置Ｐ２に第１の方向Ｒ１に回転するか又は第２の位置Ｐ２から第１の位置Ｐ１に第２の方向Ｒ２に回転するのを防止できる。この構成は、ケーブル支持部材５０がオブジェクト３４の直ぐ後ろの空間を占有し得る不適切な位置にケーブル支持部材５０が接続装置４８に対して移動するのを防止する。
【００３２】
図８を参照して、オブジェクト３４の上側空間３４ａは上段物体３６を収容し、オブジェクト３４の下側空間３４ｂは下段物体３８を収容する。ケーブル支持部材５０が接続装置４８の第１の接続部材４８ａ及び第２の接続部材４８ｂに対して第１の位置Ｐ１にある場合、ケーブル支持部材５０の棒状体６１は下段物体３８の移動経路を妨げないため、下段物体３８をオブジェクト３４の下側空間３４ｂから所定の方向Ｄに引き出すことができる。
【００３３】
同様に、図９を参照して、ケーブル支持部材５０が接続装置４８の第１の接続部材４８ａ及び第２の接続部材４８ｂに対して第２の位置Ｐ２にある場合、ケーブル支持部材５０の棒状体６１は上段物体３６の移動経路を妨げないため、上段物体３６をオブジェクト３４の上側空間３４ａから所定の方向Ｄに引き出すことができる。
【００３４】
図１を再び参照して、ケーブル支持部材５０が接続装置４８の第１の接続部材４８ａ及び第２の接続部材４８ｂに対して所定の位置Ｐ０にある場合、ケーブル支持部材５０の棒状体６１は上段物体３６及び下段物体３８双方の移動経路を塞ぐ。その結果、上段物体３６及び下段物体３８のいずれも所定の方向Ｄに引き出すことができない。そのため、通常の条件下では、ケーブル支持部材５０は接続装置４８の第１の接続部材４８ａ及び第２の接続部材４８ｂに対して所定の位置Ｐ０にある。
【００３５】
上記によれば、本願開示のラックシステム及びそのケーブル支持アセンブリは好ましくは下記の特徴を有する。
【００３６】
１）ケーブル支持部材５０は、オブジェクト３４及びオブジェクト３４内に収容された物体（例えば、上段物体３６及び下段物体３８）の現場での（on-site）メンテナンスを促進するために接続装置４８に対して少なくとも２つの位置（例えば、所定の位置Ｐ０、第１の位置Ｐ１及び第２の位置Ｐ２）を取ることができる。
【００３７】
２）ケーブル支持部材５０が第１の位置Ｐ１又は第２の位置Ｐ２にある場合、オブジェクト３４内の所定の物体をメンテナンスのために引き出すことができる。
【００３８】
３）スライドレールアセンブリのスライドレール４０はオブジェクト３４の底部Ｂを支持するための支持部４２を有する。
【００３９】
４）ラックシステムのフィッティング４４はラック２２の対応するポストに取り外し可能に取り付けられ、フィッティング４４の延在部４６は、オブジェクト３４がスライドレールアセンブリの支持部４２に対して上方に傾斜するのを保つためにオブジェクト３４の上部Ｕに隣接する位置に延在する。
【００４０】
５）接続装置４８の少なくとも１つの位置制限部６６はケーブル支持部材５０が接続装置４８に対して不適切な位置に移動するのを防止し、ケーブル支持部材５０がオブジェクト３４のすぐ後ろの空間を占有しないようにする。
【００４１】
上述の好ましい実施形態を通じて本発明を開示してきたが、これらの実施形態は本発明の範囲を限定することを意図したものではない。出願人が求める特許の保護範囲は添付の特許請求の範囲によって定義される。
【符号の説明】
【００４２】
２０  ラックシステム
２２  ラック
２４  第１のスライドレールアセンブリ
２６  第２のスライドレールアセンブリ
２８  ケーブル支持アセンブリ
３０  第１のブラケット
３２  第２のブラケット
３４  オブジェクト
３４ａ  上側空間
３４ｂ  下側空間
３６  上段物体
３８  下段物体
４０  スライドレール
４２  支持部
４４  フィッティング
４６  延在部
４８  接続装置
５０  ケーブル支持部材
５２  第１の機構
５４  第２の機構
５６  取り付け部材
５８  第１の端部
６０  第２の端部
６２  接続部
６４  ベース
６６  位置制限部
【図１】
2019192894.tif 000003
【図２】
2019192894.tif 000004
【図３】
2019192894.tif 000005
【図４】
2019192894.tif 000006
【図５】
2019192894.tif 000007
【図６】
2019192894.tif 000008
【図７】
2019192894.tif 000009
【図８】
2019192894.tif 000010
【図９】
2019192894.tif 000011